【手続補正書】
【提出日】平成18年10月25日(2006.10.25)
【手続補正１】
【補正対象書類名】特許請求の範囲
【補正対象項目名】全文
【補正方法】変更
【補正の内容】
【特許請求の範囲】
【請求項１】
顕像形成物質を用いて像担持体に顕像を形成する顕像形成手段と、該像担持体に対向する転写位置を該像担持体に接触して通過するように転写材を搬送部材で保持して搬送することにより該像担持体上の顕像を該転写材に転写する転写搬送手段と、該転写搬送手段の搬送部材から離間した転写材を受けて案内する第１案内部材と、該第１案内部材で案内されてきた転写材を受けて案内する第２案内部材とを備えた画像形成装置において、
上記第２案内部材の案内面が、転写材案内方向下流側にいくにつれて転写材が鉛直方向上側に向かって案内されるように形成され、
上記第１案内部材で案内される転写材の先端が該第２案内部材の案内面上に到達するように、該第１案内部材の案内面の転写材案内方向下流端が、鉛直方向において該第２案内部材の案内面の転写材案内方向上流端よりも高い位置にあり、
該第２案内部材の案内面の転写材案内方向上流端に対する該第１案内部材の案内面の転写材案内方向下流端の鉛直方向の高低差が０．５ｍｍ以上、１ｍｍ以下であることを特徴とする画像形成装置。
【請求項２】
顕像形成物質を用いて像担持体に顕像を形成する顕像形成手段と、該像担持体に対向する転写位置を該像担持体に接触して通過するように転写材を搬送部材で保持して搬送することにより該像担持体上の顕像を該転写材に転写する転写搬送手段と、該転写搬送手段の搬送部材から離間した転写材を受けて案内する第１案内部材と、該第１案内部材で案内されてきた転写材を受けて案内する第２案内部材とを備えた画像形成装置において、
上記第２案内部材の案内面が、転写材案内方向下流側にいくにつれて転写材が鉛直方向上側に向かって案内されるように形成され、
上記第１案内部材で案内される転写材の先端が該第２案内部材の案内面上に到達するように、該第１案内部材の案内面の転写材案内方向下流端が、鉛直方向において該第２案内部材の案内面の転写材案内方向上流端と同じか該上流端よりも高い位置にあり、
該第２案内部材の案内面の転写材案内方向上流端に対する該第１案内部材の案内面の転写材案内方向下流端の鉛直方向の高低差が変化するように上記第１案内部材及び上記第２案内部材の少なくとも一方を駆動する駆動手段と、上記転写材の種類に応じて該高低差を変化させるように該駆動手段を制御する制御手段とを備えたことを特徴とする画像形成装置。
【請求項３】
請求項１または２の画像形成装置において、
上記第１案内部材の案内面における転写材案内方向下流の端部を、該端部上を案内されている転写材と該端部との間で放電が生じない程度の曲率半径を有するように形成したことを特徴とする画像形成装置。
【手続補正２】
【補正対象書類名】明細書
【補正対象項目名】０００８
【補正方法】変更
【補正の内容】
【０００８】
この画像形成装置においては、表１を用いて後述する本発明者らの実験の結果、上記第１案内部材の案内面の転写材案内方向下流端が、鉛直方向において上記第２案内部材の案内面の転写材案内方向上流端よりも０．５ｍｍ以上高い位置とすることで、該第１案内部材で案内される転写材の先端が該第２案内部材の案内面上に到達し、該転写材が第２案内部材に引っかかることなく案内されることが分かった。
上記転写材の後端が上記第１案内部材の案内面から分離するときにはたらく上記重力や復元力等によって生じる該第１案内部材の案内面上にある物質を掻き取る力は、該転写材の後端側における該第２案内部材の案内面との非接触部分の長さや変形量に比例する。ここで、該転写材の非接触部分の後端が第１案内部材の案内面から分離するとき、該転写材の後端は該第１案内部材の案内面の転写材案内方向下流端に位置するので、該転写材の非接触部分の長さや変形量は、該該第２案内部材の案内面の転写材案内方向上流端に対する該第１案内部材の案内面の転写材案内方向下流端の鉛直方向の高低差に比例する。よって、該鉛直方向の高低差が大きいとき、該転写材の後端側の非接触部分に作用する重力や復元力が大きくなるので、該転写材の後端が第１案内部材の案内面上にある異物を掻き取る作用も大きくなる。一方、該鉛直方向の高低差が小さいときは、該転写材の非接触部分に作用する重力や復元力も小さくなるので、該転写材の後端が第１案内部材の案内面上にある異物を掻き取る作用も小さくなる。
そして、表１を用いて後述する本発明者らの実験の結果、上記第１案内部材の案内面の転写材案内方向下流端が、鉛直方向において上記第２案内部材の案内面の転写材案内方向上流端よりも高く、その高さの差が１．０ｍｍ以下とすることで、該転写材の後端が該第１案内部材の案内面上にある異物を掻き取る作用を抑制することができることがわかった。該第１案内部材の案内面上にある物質を掻き取る力を抑制できるので、該第１案内部材の案内面上に異物があっても、該異物が該転写材の後端によって掻き取られて該後端に付着することを抑制できる。
【手続補正３】
【補正対象書類名】明細書
【補正対象項目名】０００９
【補正方法】変更
【補正の内容】
【０００９】
請求項２の発明は、顕像形成物質を用いて像担持体に顕像を形成する顕像形成手段と、該像担持体に対向する転写位置を該像担持体に接触して通過するように転写材を搬送部材で保持して搬送することにより該像担持体上の顕像を該転写材に転写する転写搬送手段と、該転写搬送手段の搬送部材から離間した転写材を受けて案内する第１案内部材と、該第１案内部材で案内されてきた転写材を受けて案内する第２案内部材とを備えた画像形成装置において、上記第２案内部材の案内面が、転写材案内方向下流側にいくにつれて転写材が鉛直方向上側に向かって案内されるように形成され、上記第１案内部材で案内される転写材の先端が該第２案内部材の案内面上に到達するように、該第１案内部材の案内面の転写材案内方向下流端が、鉛直方向において該第２案内部材の案内面の転写材案内方向上流端と同じか該上流端よりも高い位置にあり、該第２案内部材の案内面の転写材案内方向上流端に対する該第１案内部材の案内面の転写材案内方向下流端の鉛直方向の高低差が変化するように上記第１案内部材及び上記第２案内部材の少なくとも一方を駆動する駆動手段と、上記転写材の種類に応じて該高低差を変化させるように該駆動手段を制御する制御手段とを備えたことを特徴とするものである。
【手続補正４】
【補正対象書類名】明細書
【補正対象項目名】００１０
【補正方法】変更
【補正の内容】
【００１０】
この画像形成装置においては、上記第１案内部材の案内面の転写材案内方向下流端が、鉛直方向において上記第２案内部材の案内面の転写材案内方向上流端と同じか該上流端よりも高い位置にあり、該第１案内部材で案内される転写材の先端が該第２案内部材の案内面上に到達し、該転写材が第２案内部材に引っかかることなく案内される。
そして、上記転写材の後端が上記第１案内部材の案内面から分離するときにはたらく上記重力や復元力等によって生じる該第１案内部材の案内面上にある物質を掻き取る力は、該転写材の後端側における該第２案内部材の案内面との非接触部分の長さや変形量に比例する。ここで、該転写材の非接触部分の後端が第１案内部材の案内面から分離するとき、該転写材の後端は該第１案内部材の案内面の転写材案内方向下流端に位置するので、該転写材の非接触部分の長さや変形量は、該該第２案内部材の案内面の転写材案内方向上流端に対する該第１案内部材の案内面の転写材案内方向下流端の鉛直方向の高低差に比例する。よって、該鉛直方向の高低差が大きいとき、該転写材の後端側の非接触部分に作用する重力や復元力が大きくなるので、該転写材の後端が第１案内部材の案内面上にある異物を掻き取る作用も大きくなる。一方、該鉛直方向の高低差が小さいときは、該転写材の非接触部分に作用する重力や復元力も小さくなるので、該転写材の後端が第１案内部材の案内面上にある異物を掻き取る作用も小さくなる。
従って、上記鉛直方向の高低差を調節することで、該転写材の後端が該第１案内部材の案内面上にある異物を掻き取る作用がはたらかない上記転写材案内条件に設定できる。
そして、上記転写材の種類に応じて上記制御手段が上記駆動手段を制御することで上記高低差を変化させることにより、転写材の種類が異なる場合であっても、上記転写材の後端が該第１案内部材の案内面上にある異物を掻き取る作用がはたらかないようにすることができる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１４
【補正方法】変更
【補正の内容】
【００１４】
請求項３の発明は、請求項１または２の画像形成装置において、上記第１案内部材の案内面における転写材案内方向下流の端部を、該端部上を案内されている転写材と該端部との間で放電が生じない程度の曲率半径を有するように形成したことを特徴とするものである。
【手続補正８】
【補正対象書類名】明細書
【補正対象項目名】００１６
【補正方法】変更
【補正の内容】
【００１６】
請求項１乃至３の発明によれば、転写材が第２案内部材に引っかかることなく案内されるため良好な搬送性が得られるとともに、第１案内部材の案内面に蓄積された異物が転写材の後端で掻きとられることがなくなるので、顕像が転写された転写材が案内部材で案内されるときに生じる転写材の後端の汚れの発生を防止することができるという効果がある。
【手続補正９】
【補正対象書類名】明細書
【補正対象項目名】００１７
【補正方法】変更
【補正の内容】
【００１７】
特に、請求項２の発明によれば、種類が異なる転写紙について画像を形成する場合でも、転写材が第２案内部材に引っかかることなく案内されるため良好な搬送性が得られるとともに、上記転写材の後端の汚れの発生を防止することができるという効果がある。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
また特に、請求項３の発明によれば、転写搬送側案内部材の転写材案内方向下流側端部と転写材との間の剥離放電を防止することができるので、該転写材にスジ状の画像乱れが発生するのを防止できるという効果がある。